(57)【要約】【課題】被写体の画像データと被写体に関連する情報との対応関係が不明になることを防ぐことができるカメラシステムを提供する。【解決手段】撮像手段（３４Ｂ）で撮像された被写体（１０）の画像データと前記画像データとは別に撮像された被写体（１０）に関連する情報との対応関係を判断する判断手段（３０）と、判断手段（３０）で対応関係があると判断された被写体（１０）の画像データと前記情報とを関連付けて保存する保存手段（３３）とを備えている。【選択図】図２
2009182532.tif 000002
【特許請求の範囲】
【請求項１】
撮像手段で撮像された被写体の画像データと前記画像データとは別に撮像された前記被写体に関連する情報との対応関係を判断する判断手段と、
前記判断手段で対応関係があると判断された前記被写体の画像データと前記情報とを関連付けて保存する保存手段と
を備えていることを特徴とするカメラシステム。
【請求項２】
前記被写体の画像データと前記情報とを同一の画像表示手段に表示させる表示制御手段を備えていることを特徴とする請求項１記載のカメラシステム。
【請求項３】
前記情報は前記被写体の近くに設置されたバーコードであることを特徴とする請求項１又は２記載のカメラシステム。
【請求項４】
撮像手段で撮像された被写体の画像データと発信手段から供給された前記被写体に関連する情報との対応関係を判断する判断手段と、
前記判断手段で対応関係があると判断された前記被写体の画像データと前記発信手段から供給された前記被写体に関連する情報とを関連付けて保存する保存手段と
を備えていることを特徴とするカメラシステム。
【請求項５】
前記被写体の画像データと前記被写体に関連する情報とを同一の画像表示手段に表示させる表示制御手段を備えていることを特徴とする請求項４記載のカメラシステム。
【請求項６】
前記発信手段は前記被写体の近くに設置された発信機であることを特徴とする請求項４又は５記載のカメラシステム。
【発明の詳細な説明】
【技術分野】
【０００１】
この発明はカメラシステムに関する。
【背景技術】
【０００２】
従来、写真プリントに所望の情報を併せて付加させることができるカメラが知られている。
【０００３】
このカメラでは、写真プリントに表示される画像に対して、撮影者が付加すべき情報を選択するとともにその記録位置を指定する。それによれば、付加すべき情報、該情報の記録位置を指定する情報、付加すべき情報の種類に応じた記録フォーマットを指定する情報が画像データに付加される。写真プリントの作成にあたって上記情報が付加されていた場合には、付加すべき情報が、写真プリント上の指定された記録位置に指定された記録フォーマットで記録される（下記特許文献参照）。
【特許文献１】特開２００１−３２６８０２号公報
【発明の開示】
【発明が解決しようとする課題】
【０００４】
上記カメラでは、写真プリントに付加する情報は撮影者によって選択される。
【０００５】
したがって、写真プリント上に被写体の画像データとともにその被写体に関連する情報を付加する作業が撮影からあまり時間が経過しないうちに行われるならば、撮影時の記憶が鮮明であるため、被写体の画像データとその被写体に関連する情報との対応関係の判断に大きな問題はない。
【０００６】
しかし、上記作業が撮影からかなり時間が経過してから行われるならば、撮影時の記憶が不鮮明になるため、被写体の画像データとその被写体に関連する情報との対応関係を迅速かつ誤りなく判断することは困難になり、作業に多くの時間がかかるという問題が生じる。
【０００７】
この発明はこのような事情に鑑みてなされたもので、その課題は被写体の画像データと被写体に関連する情報との対応関係が不明になることを防ぐことができるカメラシステムを提供することである。
【課題を解決するための手段】
【０００８】
上記課題を解決するため請求項１記載の発明は、撮像手段で撮像された被写体の画像データと前記画像データとは別に撮像された前記被写体に関連する情報との対応関係を判断する判断手段と、前記判断手段で対応関係があると判断された前記被写体の画像データと前記情報とを関連付けて保存する保存手段とを備えていることを特徴とする。
【０００９】
請求項２記載の発明は、請求項１記載のカメラシステムにおいて、前記被写体の画像データと前記情報とを同一の画像表示手段に表示させる表示制御手段を備えていることを特徴とする。
【００１０】
請求項３記載の発明は、請求項１又は２記載のカメラシステムにおいて、前記情報は前記被写体の近くに設置されたバーコードであることを特徴とする。
【００１１】
請求項４記載の発明は、撮像手段で撮像された被写体の画像データと発信手段から供給された前記被写体に関連する情報との対応関係を判断する判断手段と、前記判断手段で対応関係があると判断された前記被写体の画像データと前記発信手段から供給された前記被写体に関連する情報とを関連付けて保存する保存手段とを備えていることを特徴とする。
【００１２】
請求項５記載の発明は、請求項４記載のカメラシステムにおいて、前記被写体の画像データと前記被写体に関連する情報とを同一の画像表示手段に表示させる表示制御手段を備えていることを特徴とする。
【００１３】
請求項６記載の発明は、請求項４又は５記載のカメラシステムにおいて、前記発信手段は前記被写体の近くに設置された発信機であることを特徴とする。
【発明の効果】
【００１４】
この発明によれば画像データと被写体に関連する情報との対応関係が不明になることを防ぐことができる。
【発明を実施するための最良の形態】
【００１５】
以下、この発明の実施の形態を図面に基づいて説明する。
【００１６】
図１はこの発明の第１実施形態に係るカメラシステムで動物１０を撮影する様子を示す図である。
【００１７】
このカメラシステムは、動物（被写体）１０に関連する情報が記録された２次元バーコード２５を読み取る機能を有するカメラ１を備えている。なお、被写体は動物に限られるものではなく、例えば植物等でもよい。
【００１８】
図１に示す撮影場所は動物園であり、動物１０（図１ではライオン）とカメラ１を持った撮影者６との間には柵５がある。２次元バーコード２５は柵５の近くに設置されたプレート２０に印刷されている。
【００１９】
２次元バーコード２５は１次元バーコードと比較して記録密度が高い。２次元バーコード２５は例えばパターンが格子状になっているマトリックス型２次元バーコードである。２次元バーコード２５にはＵＲＬ等任意の情報が含まれる。
【００２０】
なお、２次元バーコード２５には、２次元バーコード２５が携帯情報端末５０（図３参照）で読み取られる際に、自動的にＵＲＬへ接続してＵＲＬで示されるウエブページを閲覧するように促す指示情報等を携帯情報端末５０の記憶部１３３から抽出するように促すデータ取得指示情報等も含ませることもできる。
【００２１】
プレート２０には２次元バーコード２５の他に動物１０の分類、動物１０の名前及び動物の生年月日等の情報が印刷されている。
【００２２】
カメラ１の正面のほぼ中央に動物１０や２次元バーコード２５からの光が入射する撮影レンズ４が設けられている。
【００２３】
カメラ１の上面にはシャッタボタン３（図２参照）が設けられている。
【００２４】
カメラ１の背面には各種の情報を表示するためのモニタ８（図２参照）が設けられている。
【００２５】
図２はカメラの一例を示すブロック図である。
【００２６】
カメラ１は、ＣＰＵ３０、ＲＯＭ３１、ＲＡＭ３２、シャッタボタン３、モニタ８、記憶部（保存手段）３３、画像入力部３４、通信部３５及びドライブ３６を備えている。ＣＰＵ３０、ＲＯＭ３１等はシステムバス１０１に接続されている。
【００２７】
ＣＰＵ３０は、カメラ１全体の制御や情報処理を行う装置であり、ＲＯＭ３１に格納されている処理制御プログラムをＲＡＭ３２にロードして実行する。ＣＰＵ３０はワンチップマイコン等からなる。また、ＣＰＵ３０は動物１０を撮像して得られた画像データと２次元バーコード２５を撮像して得られた動物１０に関連する情報との対応関係を判断する判断手段として機能する。更に、ＣＰＵ３０は動物１０の画像データと情報発信機（発信手段）２６（図６参照）から供給された動物１０に関連する情報との対応関係を判断する判断手段として機能する。また、ＣＰＵ３０は動物１０の画像データと動物１０に関連する情報とを同一の紙６０やパソコン画面（図示せず）に表示させる表示制御手段として機能する。
【００２８】
画像入力部３４は、撮影レンズ４（図１参照）や光量を調節する絞り等（図示せず）を含む光学系３４Ａと、光学系３４Ａを介して入射した光学像を電気信号に変換する撮像素子（撮像手段）３４Ｂとを有する。撮像素子３４Ｂで動物１０及び２次元バーコード２５が撮像される。
【００２９】
記憶部３３には、ＣＰＵ３０で対応関係があると判断された、動物１０の画像データと２次元バーコード２５に記録された動物１０に関連する情報とが関連付けて記憶される。記憶部３３は例えばメモリカードである。このメモリカード内の画像データ等をプリントする場合には、例えばダイレクトプリント対応プリンタ（図示せず）のスロットにメモリカードを挿入するだけでよい。プリントされた画像等の一例を図４に示す。
【００３０】
モニタ８はＣＲＴやＬＣＤ等の表示器である。モニタ８は動物１０を撮影するとき、撮影範囲を確認するためのファインダとして機能する。
【００３１】
通信部３５は情報発信機２６から送信された、撮影しようとする動物１０に関連する情報を受信する。通信部３５で受信された情報はシステムバス１０１を介して記憶部３３に転送され、そこに記憶される。
【００３２】
ドライブ３６は外部の半導体メモリ、光磁気ディスク、光ディスク及び磁気ディスクを駆動制御する装置である。
【００３３】
次に、携帯情報端末５０について説明する。
【００３４】
図３は携帯情報端末５０の一例を示すブロック図である。
【００３５】
携帯情報端末５０はカメラ機能を有する。このカメラ機能を利用して紙（画像表示手段）６０（図４参照）に印刷された２次元バーコード２５を読み込んで２次元バーコード２５に記録されている動物１０に関連する情報をモニタ１０８に表示させることができる。携帯情報端末５０は表示、入力及び通信ネットワーク接続機能を備える、例えば携帯電話、ＰＤＡ等である。
【００３６】
携帯情報端末５０は、ＣＰＵ１３０、ＲＯＭ１３１、ＲＡＭ１３２、シャッタボタン１０３、モニタ１０８、記憶部１３３、画像入力部１３４、通信部１３５及びドライブ１３６を備えている。ＣＰＵ１３０、ＲＯＭ１３１等はシステムバス１５０に接続されてる。
【００３７】
ＣＰＵ１３０は、携帯情報端末５０全体の制御や情報処理を行う装置であり、ＲＯＭ１３１に格納されている処理制御プログラムをＲＡＭ１３２にロードして実行する。ＣＰＵ１３０はワンチップマイコン等からなる。処理制御プログラムには撮影対象が２次元バーコード２５であるときに、その画像データを解析してそれに記録された情報を認識するための解析プログラム等が含まれる。
【００３８】
画像入力部１３４は、撮影レンズや光量を調節する絞り等を含む光学系１３４Ａと、光学系１３４Ａを介して入射した光学像を電気信号に変換する撮像素子１３４Ｂとを有する。この実施形態では撮影対象が２次元バーコード２５であるため、これを読み取るために例えばＣＣＤ等の固体撮像素子が撮像素子１３４Ｂとして用いられる。
【００３９】
記憶部１３３には２次元バーコード２５に記録された動物１０に関連する情報が記憶される。
【００４０】
モニタ１０８は、携帯情報端末５０をカメラとして用いたとき、撮影範囲を確認するためのファインダとして機能する。
【００４１】
通信部１３５はカメラ１との間で情報の送受信を行う。また、通信部１３５はインターネットへの接続を可能にする。
【００４２】
ドライブ１３６は外部の半導体メモリ、磁気ディスクを駆動制御するための装置である。
【００４３】
次に、カメラ１を用いた動物１０の撮影方法を説明する。
【００４４】
図４は印刷物の一例を示す図である。
【００４５】
まず、動物１０の近くに設置されたプレート２０に印刷された２次元バーコード２５へカメラ１を向け、シャッタボタン３を押して２次元バーコード２５を撮影する。
【００４６】
次に、カメラ１を動物１０へ向け、シャッタボタン３を押して動物１０を撮影する。なお、２次元バーコード２５より先に動物１０を撮影するようにしてもよい。
【００４７】
このとき、２次元バーコード２５と動物１０とを連続して撮影することにより、ＣＰＵ３０は動物１０の画像データと２次元バーコードに記録された情報とに対応関係があると判断し、対応関係があると判断した動物１０の画像データと２次元バーコード２５に記録された動物１０の情報とを関連付けて記憶部３３に記憶させる。
【００４８】
その後（例えば撮影を終え家に帰った後）、記憶部３３に記憶された情報を紙６０に印刷する。このとき、ＣＰＵ３０は動物１０の画像１０Ｐ、２次元バーコード２５の画像２５Ｐ等を１枚の紙６０に印刷させる（図４参照）。図４の印刷物の動物１０の画像１０Ｐの下方に、動物１０の名前、生年月日、２次元バーコード２５が印刷されている。なお、２次元バーコード２５を動物１０の画像１０Ｐが印刷された紙６０の裏面に印刷してもよい。また、記憶部３３に記憶された情報を紙６０に出力しないで、カメラ１を例えばＵＳＢ端子（図示せず）を介してパソコン等に接続し、パソコン画面（画像表示手段）上に表示させるようにしてもよい。このとき、記憶部３３に記憶された情報をパソコンのハードディスク（図示せず）に保存するようにしてもよい。
【００４９】
次に、紙６０に印刷された２次元バーコード２５の携帯情報端末５０による読み込み方法を説明する。
【００５０】
図５は携帯情報端末のモニタの表示例を示す図である。
【００５１】
まず、携帯情報端末５０を撮影モードに設定する。
【００５２】
次に、携帯情報端末５０のモニタ１０８の画面に紙６０上の２次元バーコード２５の画像２５Ｐの全体が入るように携帯情報端末５０を２次元バーコード２５の画像２５Ｐへ向け、シャッタボタン１０３を押す。撮像された２次元バーコード２５の画像２５Ｐの画像データが記憶部１３３に記憶される。
【００５３】
ＣＰＵ３０は記憶された画像データに２次元バーコード２５の画像２５Ｐが含まれていると判断すると、２次元バーコード２５の画像２５Ｐの画像解析を行なう。なお、画像データの解析に先立ってバーコードシンボルの切り出し、ゆがみ等の修正等が行われる。
【００５４】
解析された結果はモニタ１０８に表示される。
【００５５】
図５に示すように、モニタ１０８の画面上には、ライオン（動物１０の分類）の英名（ｌｉｏｎ）、学名（Ｐａｎｔｈｅｒａ  ｌｅｏ）、分類（食肉目、ネコ科）、ＵＲＬ（ｈｔｔｐ：／／ｗｗｗ．ｘｘｘ．ｘｘｘ．ｊｐ／）、ショート（ライオンの名前）及び生年月日（２００２．１０．２４生まれ）の情報が文字で表示されている。この表示内容から、印刷された画像の動物１０に関する知識を得ることができる。なお、モニタ１０８の画面に表示させる情報として動物１０の画像情報を付加してもよい。
【００５６】
動物１０に関する更に詳しい情報を得たいときには、ＵＲＬに対応するウエブページにアクセスすればよい。
【００５７】
この実施形態によれば、動物１０の画像データと動物１０に関する情報とを関連付けて記憶するようにしたので、動物１０の画像データと動物１０に関する情報との対応関係が不明になるおそれがなく、写真プリント上に被写体の画像データとともにその被写体に関連する情報を付加する作業が撮影からかなり時間が経過してから行われた場合であっても被写体の画像データとその被写体に関連する情報との対応関係を迅速かつ誤りなく判断することができる。
【００５８】
更に、同一の動物を複数枚撮影するような場合に、２次元バーコードと動物とを繰り返し撮影するのは面倒であるが、２次元バーコードを撮影した後に、カメラの電源が切れる又はカメラのモードを変更する又は他のバーコードを撮影する等の動作が行われるまでに撮影した画像は全てその前に撮影した２次元バーコードと対応関係にあると判断するようにすれば、同一の動物を複数枚撮影する場合にも容易に対応関係を設定することができる。
【００５９】
図６はこの発明の第２実施形態に係るカメラシステムで動物を撮影する様子を示す図であり、第１実施形態と共通する部分には同一符号を付してその説明を省略する。
【００６０】
この実施形態は動物１０に関連する情報を情報発信機２６を用いて取得するようにした点で第１実施形態と相違する（この実施形態では携帯情報端末５０を使用しない）。なお、この実施形態では情報発信機２６が動物１０の柵５の近くに設置されたプレート２４に取り付けられている。プレート２４にはライオン（動物１０の分類）、ショート（ライオンの名前）及び生年月日（２００２．１０．２４生まれ）等の情報）が表示されている。  情報発信機２６にはプレート２４に表示された情報を含む、動物１０に関連する情報が格納されている。
【００６１】
なお、この実施形態では処理制御プログラムに情報発信機２６から送信された動物１０に関連する情報を２次元バーコード２５に変換するプログラムが含まれている。
【００６２】
以下、カメラ１を用いた動物１０の撮影方法を説明する。
【００６３】
モニタ８の画面に動物１０の画像１０Ｐの全体が入るようにカメラ１を動物１０へ向け、シャッタボタン３を押す。このとき、情報発信機２６から送信された、動物１０に関連する情報が通信部３５を介してカメラ１で受信される。
【００６４】
ＣＰＵ３０は動物１０の画像データと情報発信機２６から送信された動物１０に関連する情報との対応関係を判断し、対応関係にあると判断した動物１０の画像データと情報発信機２６から送信された動物１０の情報とを関連付けて記憶部３３に記憶させる。
【００６５】
その後（例えば撮影を終え家に帰った後）、記憶部３３に記憶された情報を紙６０に印刷する際、情報発信機２６から送信された動物１０の情報が２次元バーコード２５に変換され、２次元バーコード２５が動物１０の画像１０Ｐとともに１枚の紙６０に印刷される（図４参照）。また、記憶部３３に記憶された情報を紙６０に出力しないで、カメラ１を例えばＵＳＢ端子（図示せず）を介してパソコン等に接続し、パソコン画面（画像表示手段）上に表示させたり、動物１０の画像１０Ｐと動物１０に関連する情報とを切り替えて表示させたりしてもよい。このとき、記憶部３３に記憶された情報をパソコンのハードディスクに保存してもよい。
【００６６】
この実施形態によれば、第１実施形態と同様の効果を奏する。
【図面の簡単な説明】
【００６７】
【図１】図１はこの発明の第１実施形態に係るカメラシステムで動物を撮影する様子を示す図である。
【図２】図２はカメラの一例を示すブロック図である。
【図３】図３は携帯情報端末の一例を示すブロック図である。
【図４】図４は印刷物の一例を示す図である。
【図５】図５は携帯情報端末のモニタの表示例を示す図である。
【図６】図６はこの発明の第２実施形態に係るカメラシステムで動物を撮影する様子を示す図である。
【符号の説明】
【００６８】
１０：動物（被写体）、２６：情報発信機（発信手段）、３０：ＣＰＵ、３３：記憶部（保存手段）、３４Ｂ：撮像素子（撮像手段）、６０：印刷物（画像表示手段）。
【図１】
2009182532.tif 000003
【図２】
2009182532.tif 000004
【図３】
2009182532.tif 000005
【図４】
2009182532.tif 000006
【図５】
2009182532.tif 000007
【図６】
2009182532.tif 000008